(57)【要約】【課題】  被検者に眩しさを与えることなく、カラーの画像データを取得できる眼科撮影装置を提供する。【解決手段】  光源から出射された赤外域に波長帯域をもつ光を測定光と参照光に分割し、被検眼に照射された測定光と参照光によるスペクトル干渉信号を取得するためのＯＣＴ光学系を備える眼科撮影装置であって、ＯＣＴ光学系を制御して、被検眼上で測定光を走査し、測定光が照射された被検眼上の各走査位置においてスペクトル干渉信号を取得する制御手段と、取得されたスペクトル干渉信号から周波数空間における波長帯域毎の信号強度に対応する色情報を取得し、各走査位置での色情報に基づいて、可視域における色情報を含む画像データを取得する画像データ取得手段と、を備える。【選択図】      図１
2019134896.tif 000002
【特許請求の範囲】
【請求項１】
光源から出射された赤外域に波長帯域をもつ光を測定光と参照光に分割し、被検眼に照射された前記測定光と前記参照光によるスペクトル干渉信号を取得するためのＯＣＴ光学系を備える眼科撮影装置であって、
前記ＯＣＴ光学系を制御して、被検眼上で前記測定光を走査し、前記測定光が照射された前記被検眼上の各走査位置においてスペクトル干渉信号を取得する制御手段と、
取得された前記スペクトル干渉信号から周波数空間における波長帯域毎の信号強度に対応する色情報を取得し、前記各走査位置での色情報に基づいて、可視域における色情報を含む画像データを取得する画像データ取得手段と、
を備えることを特徴とする眼科撮影装置。
【請求項２】
請求項１の眼科撮影装置において、
前記画像データ取得手段は、前記スペクトル干渉信号から、深さ方向における所定の領域のスペクトル干渉信号を分離し、前記所定の領域のスペクトル干渉信号から周波数空間における波長帯域毎の信号強度に対応する色情報を取得し、可視域における色情報を含む前記所定の領域の画像データを取得することを特徴とする眼科撮影装置。
【請求項３】
請求項１または２の眼科撮影装置において、
前記画像データを表示手段に表示する出力手段を備え、
前記制御手段は、前記被検眼上の各走査位置において、逐次、前記スペクトル干渉信号を取得し、
前記画像データ取得手段は、前記制御手段によって、新たに取得される前記スペクトル干渉信号から、可視域における色情報を含む前記画像データを取得し、
前記出力手段は、新たに取得される前記画像データを出力することで、逐次、前記画像データを更新することを特徴とする眼科撮影装置。
【請求項４】
請求項１〜３のいずれかの眼科撮影装置において、
前記画像データ取得手段は、前記周波数空間における波長と可視域における色情報とが対応付けされたデータベースに基づいて、前記スペクトル干渉信号から周波数空間における波長帯域毎の信号強度に対応する色情報を取得することを特徴とする眼科撮影装置。
【請求項５】
請求項４の眼科撮影装置において。
前記被検眼に可視光を照射してカラー画像データを取得するカラー画像取得手段を備え、
前記カラー画像取得手段によって取得された前記カラー画像データの色情報と、前記データベースにおける色情報と、を比較することによって、前記データベースを更新することすることを特徴とする眼科撮影装置。
【請求項６】
請求項１〜５のいずれかの眼科撮影装置において、
前記画像データは、前記ＯＣＴ光学系により取得されたＯＣＴ画像データであって、
前記画像データ取得手段は、前記スペクトル干渉信号から前記色情報を取得し、前記各走査位置での色情報に基づいて、前記可視域における色情報を含む前記ＯＣＴ画像データを取得することを特徴とする眼科撮影装置。
【請求項７】
請求項６の眼科撮影装置において、
前記画像データは、正面画像データであって、
前記画像データ取得手段は、前記スペクトル干渉信号から前記色情報を取得し、前記各走査位置での色情報に基づいて、前記可視域における色情報を含む前記正面画像データを取得することを特徴とする眼科撮影装置。
【請求項８】
請求項１〜５のいずれかの眼科撮影装置において、
前記画像データは、前記被検眼上でレーザ光を走査するＳＬＯ光学系により取得されたＳＬＯ画像データであって、
前記画像データ取得手段は、前記スペクトル干渉信号から前記色情報を取得し、前記各走査位置での色情報に基づいて、前記可視域における色情報を含む前記ＳＬＯ画像データを取得することを特徴とする眼科撮影装置。
【請求項９】
請求項１〜８のいずれかの眼科撮影装置において、
治療レーザ光源を有し、前記レーザ光を前記被検眼の治療部位に照射する照射光学系と、
前記照射光学系を制御するレーザ制御手段と、
前記画像データを解析処理することによって、前記レーザ光が照射された照射位置の評価情報を取得する解析手段と、
を備えることを特徴とする眼科撮影装置。
【請求項１０】
請求項９の眼科撮影装置において、
前記レーザ制御手段は、前記解析手段によって取得された前記評価情報に基づいて、前記レーザ光の出力を制御することを特徴とする眼科撮影装置。
【請求項１１】
光源から出射された赤外域に波長帯域をもつ光を測定光と参照光に分割し、被検眼に照射された前記測定光と前記参照光によるスペクトル干渉信号を取得するためのＯＣＴ光学系を備える眼科撮影装置において実行される眼科撮影プログラムであって、
前記眼科撮影装置のプロセッサに実行されることで、
前記ＯＣＴ光学系を制御して、被検眼上で前記測定光を走査し、前記測定光が照射された前記被検眼上の各走査位置においてスペクトル干渉信号を取得する制御ステップと、
取得された前記スペクトル干渉信号から周波数空間における波長帯域毎の信号強度に対応する色情報を取得し、前記各走査位置での色情報に基づいて、可視域における色情報を含む画像データを取得する画像データ取得ステップと、
を前記眼科撮影装置に実行させることを特徴とする眼科撮影プログラム。
【発明の詳細な説明】
【技術分野】
【０００１】
本開示は、被検眼を撮影する眼科撮影装置に関する。
【背景技術】
【０００２】
眼科撮影装置としては、ＯＣＴ光学系から出力されるスペクトル干渉信号を処理することによって被検眼の画像データを取得する光干渉断層計（Optical Coherence Tomography：OCT）が知られている（例えば、特許文献１参照）。また、眼科撮影装置としては、レーザ光を二次元的に走査することによって被検眼の画像データを取得する走査型レーザ検眼鏡（Scanning Laser Ophthalmoscope：SLO）が知られている（例えば、特許文献２参照）。治療レーザ光を被検眼の組織上に照射して、被検眼の治療を行う治療用レーザ装置に、ＳＬＯ装置が複合された装置もある。
【先行技術文献】
【特許文献】
【０００３】
【特許文献１】特開２０１６−２０９５７７号公報
【特許文献２】特開２０１７−０４６９３９号公報
【発明の概要】
【発明が解決しようとする課題】
【０００４】
光干渉断層計や走査型レーザ検眼鏡では、被検眼に赤外光を照射しているため、モノクロの画像データが得られる。被検眼に可視光を照射すればカラーの画像データを得ることはできるが、被検者に眩しさを与えてしまう問題があった。
【０００５】
本開示は、上記従来技術に鑑み、被検者に眩しさを与えることなく、カラーの画像データを取得できる眼科撮影装置を提供することを技術課題とする。
【課題を解決するための手段】
【０００６】
上記課題を解決するために、本発明は以下の構成を備えることを特徴とする。
（１）  本開示の第１態様に係る眼科撮影装置は、光源から出射された赤外域に波長帯域をもつ光を測定光と参照光に分割し、被検眼に照射された前記測定光と前記参照光によるスペクトル干渉信号を取得するためのＯＣＴ光学系を備える眼科撮影装置であって、前記ＯＣＴ光学系を制御して、被検眼上で前記測定光を走査し、前記測定光が照射された前記被検眼上の各走査位置においてスペクトル干渉信号を取得する制御手段と、取得された前記スペクトル干渉信号から周波数空間における波長帯域毎の信号強度に対応する色情報を取得し、前記各走査位置での色情報に基づいて、可視域における色情報を含む画像データを取得する画像データ取得手段と、を備えることを特徴とする。
（２）  本開示の第２態様に係る眼科撮影プログラムは、光源から出射された赤外域に波長帯域をもつ光を測定光と参照光に分割し、被検眼に照射された前記測定光と前記参照光によるスペクトル干渉信号を取得するためのＯＣＴ光学系を備える眼科撮影装置において実行される眼科撮影プログラムであって、前記眼科撮影装置のプロセッサに実行されることで、前記ＯＣＴ光学系を制御して、被検眼上で前記測定光を走査し、前記測定光が照射された前記被検眼上の各走査位置においてスペクトル干渉信号を取得する制御ステップと、取得された前記スペクトル干渉信号から周波数空間における波長帯域毎の信号強度に対応する色情報を取得し、前記各走査位置での色情報に基づいて、可視域における色情報を含む画像データを取得する画像データ取得ステップと、を前記眼科撮影装置に実行させることを特徴とする。
【図面の簡単な説明】
【０００７】
【図１】眼科撮影装置の光学系及び制御系を示す図である。
【図２】制御動作を示すフローチャートである。
【図３】モニタの表示画面の一例である。
【図４】周波数空間における波長帯域毎の信号強度を表した図である。
【図５】断層画像データ上を走査する深さ方向の走査線と輝度値の変化を説明する図である。
【図６】検出したピークに基づくスペクトル干渉信号を逆フーリエ変換した場合を説明する図である。
【発明を実施するための形態】
【０００８】
＜概要＞
典型的な実施形態の１つについて、図面を参照して説明する。図１〜図６は、本実施形態に係る眼科撮影装置を説明する図である。なお、以下の＜＞にて分類された項目は、独立または関連して利用され得る。
【０００９】
例えば、眼科撮影装置（例えば、眼科撮影装置１）は、ＯＣＴ光学系により取得されるスペクトル干渉信号を処理することによって、被検眼の画像データを取得する光干渉断層計（以下、ＯＣＴ装置）であってもよい。また、例えば、眼科撮影装置は、レーザ光を二次元的に走査することによって、被検眼の画像データを取得する走査型レーザ検眼鏡（以下、ＳＬＯ装置）と、ＯＣＴ装置と、が複合された装置であってもよい。また、例えば、眼科撮影装置は、治療レーザ光を被検眼の組織上に照射して、被検眼の治療を行う治療用レーザ装置と、ＯＣＴ装置と、ＳＬＯ装置と、が複合された装置であってもよい。なお、本実施例においては、少なくともＯＣＴ光学系を備える眼科撮影装置であればよい。
【００１０】
＜ＯＣＴ光学系＞
例えば、本実施例に係る眼科撮影装置は、光源から出射された赤外域に波長帯域をもつ光を測定光と参照光に分割し、被検眼に照射された測定光と参照光によるスペクトル干渉信号を取得するためのＯＣＴ光学系（例えば、ＯＣＴ光学系１００）を備えていてもよい。例えば、光源（例えば、光源１０２）から出射された赤外域に波長帯域をもつ光は、近赤外域に波長帯域をもっていてもよい。また、例えば、光源から出射された赤外域に波長帯域をもつ光は、遠赤外域に波長帯域をもっていてもよい。
【００１１】
なお、本実施例におけるＯＣＴ光学系は、光源からの光を測定光路と参照光路に分割するための検出器（例えば、検出器１２０）を有し、測定光路を介して被検眼に導かれた測定光と、参照光路からの参照光と、によるスペクトル干渉信号を検出してもよい。
【００１２】
例えば、ＯＣＴ光学系は、フーリエドメインＯＣＴ光学系を基本的構成としてもよい。フーリエドメインＯＣＴ光学系としては、スペクトルドメインＯＣＴ（ＳＤ−ＯＣＴ）光学系であってもよい。波長掃引式ＯＣＴ（ＳＳ−ＯＣＴ）光学系であってもよい。なお、本開示の技術は、被検物の反射強度を検出するための強度ＯＣＴ、被検物のモーションコントラストデータを検出するためのＯＣＴアンジオグラフィー（例えば、ドップラーＯＣＴ）、偏光感受ＯＣＴ（ＰＳ−ＯＣＴ：Polarization Sensitive OCT）、等において適用されてもよい。また、強度ＯＣＴとＰＳ−ＯＣＴとが複合されたマルチファンクションＯＣＴにおいて適用されてもよい。
【００１３】
例えば、ＯＣＴ光学系は、被検眼の１部位のスペクトル干渉信号を取得する構成であってもよい。また、例えば、ＯＣＴ光学系は、被検眼の複数部位のスペクトル干渉信号を取得する構成であってもよい。
【００１４】
例えば、複数部位のスペクトル干渉信号を取得する構成としては、ＯＣＴ光学系が被検眼の撮影領域を切り替えることで、複数部位のスペクトル干渉信号を別々に取得する構成であってもよい。この場合には、測定光を所定の位置に集光させて、複数部位のスペクトル干渉信号を別々のタイミングで取得してもよい。また、この場合には、測定光を集光させる位置を撮影領域毎に変化させて、複数部位のスペクトル干渉信号を別々のタイミングで取得してもよい。
【００１５】
また、例えば、複数部位のスペクトル干渉信号を取得する構成としては、複数の参照光路及び複数の検出器を有するＯＣＴ光学系を用いることで、複数部位のスペクトル干渉信号を同時に取得する構成であってもよい。例えば、複数の参照光路は、第１参照光路と、第１参照光路とは異なる第２参照光路であってもよい。また、複数の検出器は、第１参照光路からの参照光と測定光との第１スペクトル干渉信号を検出するための第１検出器と、第１検出器とは異なる第２検出器であって、第２参照光路からの参照光と測定光との第２スペクトル干渉信号を検出するための第２検出器と、であってもよい。
【００１６】
＜制御手段＞
例えば、本実施例に係る眼科撮影装置は、制御手段（例えば、制御部７０）を備えていてもよい。例えば、制御手段は、ＯＣＴ光学系を制御して被検眼上で測定光を走査し、測定光が照射された被検眼上の各走査位置においてスペクトル干渉信号を取得する。例えば、スペクトル干渉信号は、検出器から出力される信号そのものであってもよい。すなわち、スペクトル干渉信号は、波長帯域毎の信号強度を周波数空間で表した信号であってもよい。なお、例えば、制御手段は、被検眼上の各走査位置において、スペクトル干渉信号を遂次取得する構成としてもよい。
【００１７】
＜画像データ＞
例えば、画像データは、被検眼上でレーザ光を走査するＳＬＯ光学系により取得されたＳＬＯ画像データ（例えば、ＳＬＯ正面画像データ６５）であってもよい。また、例えば、画像データは、ＯＣＴ光学系により取得されたスペクトル干渉信号に基づくＯＣＴ画像データであってもよい。なお、これらの画像データは、赤外光を照射することにより取得されたモノクロの画像データであってもよい。また、例えば、これらの画像データは、信号であってもよいし、信号から生成された画像であってもよい。
【００１８】
例えば、ＯＣＴ画像データは、被検眼の反射強度特性を示す断層画像データ（例えば、断層画像データ６０）、被検眼のＯＣＴアンジオ画像データ（例えば、ＯＣＴモーションコントラスト画像データ）、被検眼のドップラー特性を示すドップラーＯＣＴ画像データ、被検眼の偏光特性を示す偏光特性画像データ、等の少なくともいずれかであってもよい。
【００１９】
なお、ＯＣＴ画像データは、Ａスキャン画像データ（例えば、Ａスキャン断層画像データ等）、Ｂスキャン画像データ（例えば、Ｂスキャン断層画像データ、二次元ＯＣＴアンジオ画像データ、等）、正面（Ｅｎ  ｆａｃｅ）画像データ（例えば、ＯＣＴ正面（Ｅｎ  ｆａｃｅ）画像データ、正面（Ｅｎ  ｆａｃｅ）モーションコントラストデータ、等）、３次元画像データ（例えば、三次元断層画像データ、三次元ＯＣＴアンジオ画像データ、等）、等の少なくともいずれかであってもよい。
【００２０】
例えば、断層画像データは、Ａスキャン断層画像データであってもよい。また、例えば、断層画像データは、Ｂスキャン断層画像データであってもよい。なお、Ｂスキャン断層画像データは、走査ライン（横断位置）に沿って測定光をＸＹ方向のいずれかの方向（例えば、Ｘ方向）に走査させることによって取得された断層画像データであってもよい。また、例えば、断層画像データは、三次元断層画像データであってもよい。なお、三次元断層画像データは、測定光を二次元的に走査することによって取得される断層画像データであってもよい。
【００２１】
なお、例えば、ＯＣＴ画像データは、三次元断層画像データから取得されるＯＣＴ正面（Ｅｎ  ｆａｃｅ）画像データ（例えば、ＯＣＴ正面画像データ６６）であってもよい。ＯＣＴ正面画像データは、深さ方向に関して積算された積算画像、ＸＹ各位置でのスペクトルデータの積算値、ある一定の深さ方向におけるＸＹ各位置での輝度データ、網膜表層画像、等であってもよい。
【００２２】
例えば、ＯＣＴアンジオ画像データは、二次元ＯＣＴアンジオ画像データであってもよい。なお、二次元ＯＣＴアンジオ画像データは、走査ライン（横断位置）に沿って測定光をＸＹ方向のいずれかの方向（例えば、Ｘ方向）に走査させることによって取得されるＯＣＴアンジオ画像データであってもよい。また、例えば、ＯＣＴアンジオ画像データは、三次元ＯＣＴアンジオ画像データであってもよい。なお、三次元ＯＣＴアンジオ画像データは、測定光を二次元的に走査することによって取得されるＯＣＴアンジオ画像データであってもよい。また、例えば、ＯＣＴアンジオ画像データは、三次元モーションコントラストデータから取得される正面（Ｅｎ  ｆａｃｅ）モーションコントラストデータであってもよい。
【００２３】
＜画像データ取得手段＞
例えば、本実施例に係る眼科撮影装置は、画像データ取得手段（例えば、制御部７０）を備えていてもよい。例えば、画像データ取得手段は、取得されたスペクトル干渉信号から周波数空間における波長帯域毎の信号強度に対応する色情報を取得し、各走査位置での色情報に基づいて、可視域における色情報を含む画像データを取得する。
【００２４】
例えば、可視域における色情報は、Ｒ（Ｒｅｄ）、Ｇ（Ｇｒｅｅｎ）、及びＢ（Ｂｌｕｅ）を３原色として表示するＲＧＢ色空間を表す情報であってもよい。また、例えば、色情報は、Ｃ（Ｃｙａｎ）、Ｍ（Ｍａｇｅｎｔａ）、及びＹ（Ｙｅｌｌｏｗ）を３原色として表示するＣＭＹ色空間を表す情報であってもよい。なお、色情報を表す色空間はこれらに限定されず、一般的な色空間を用いることができる。例えば、ｓＲＧＢ、ＲＧＢＡ、ＣＭＫ、ＣＭＹＫ、等でもよい。
【００２５】
これによって、被検眼に赤外光を照射することで撮影されたモノクロの画像データを、カラーの画像データとして取得することができる。すなわち、可視域における色情報を含む画像データを取得することができる。このため、検者は、被検眼に可視光を照射して眩しさを与えることなく、カラーの画像データを取得することができる。また、検者は、カラーの画像データであることによって、被検眼の状態を観察しやすくなる。
【００２６】
なお、画像データ取得手段は、スペクトル干渉信号から色情報を取得し、各走査位置での色情報に基づいて、可視域における色情報を含むＳＬＯ画像データを取得してもよい。これによって、カラー化された深さ方向の断層画像データ等を取得することができる。また、カラー画像データを得るための構成を別途設ける必要がなく、簡易的な構成とすることができる。
【００２７】
また、画像データ取得手段は、スペクトル干渉信号から色情報を取得し、各走査位置での色情報に基づいて、可視域における色情報を含むＯＣＴ画像データを取得してもよい。これによって、可視域における色情報を含むＯＣＴ画像データを取得する場合と比べて、より鮮明度の高いカラー画像データを取得することができる。
【００２８】
例えば、画像データ取得手段は、スペクトル干渉信号から、深さ方向における所定の領域のスペクトル干渉信号を分離し、所定の領域のスペクトル干渉信号から周波数空間における波長帯域毎の信号強度に対応する色情報を取得し、可視域における色情報を含む所定の領域の画像データを取得するようにしてもよい。例えば、深さ方向における所定の領域は、ある特定の層（例えば、網膜層、脈絡膜層、強膜層、等）であってもよい。また、例えば、深さ方向における所定の領域は、ある一定の深さ（例えば、４ｍｍ〜８ｍｍの深さ、等）であってもよい。なお、このような所定の領域は、１つの領域であってもよいし、複数の領域であってもよい。これによって、所定の領域毎に、可視域における色情報を含む画像データを取得することができる。すなわち、所定の領域毎に、カラー化された画像データを取得することができる。
【００２９】
例えば、画像データ取得手段は、周波数空間における波長と可視域における色情報とが対応付けされたデータベースに基づいて、スペクトル干渉信号から周波数空間における波長帯域毎の信号強度に対応する色情報を取得してもよい。例えば、予め構築されたこのようなデータベースを用いることで、周波数空間における波長帯域毎の信号強度に対応する色情報が取得されてもよい。この場合には、眼科撮影装置がデータベースを備えてもよい。また、この場合には、眼科撮影装置がクラウドやサーバーに保存されたデータベースにアクセスしてもよい。このような構成であることによって、可視域における色情報を含む画像データを容易に取得することができる。
【００３０】
なお、本実施例に係る眼科撮影装置は、カラー画像取得手段（例えば、制御部７０）を備えてもよい。カラー画像取得手段は、被検眼に可視光を照射してカラー画像データを取得する。例えば、カラー画像データとしては、ＳＬＯ光学系（例えば、観察光学系２００）を用いて可視光を照射することにより取得したカラーＳＬＯ画像データ、眼底カメラを用いて撮影したカラー画像データ、等の少なくともいずれかを用いてもよい。
【００３１】
例えば、このような構成である場合、カラー画像取得手段によって取得されたカラー画像データの色情報と、データベースにおける色情報と、を比較することによって、データベースを更新してもよい。これによって、画像データをカラー化した際の精度を向上させることができる。なお、カラー画像データは、色情報を含む画像データであればよく、可視光を照射して取得した画像データに限定されない。例えば、画像データ取得手段により取得された色情報を含む画像データを用いることもできる。
【００３２】
なお、例えば、本実施例に係る眼科撮影装置は、出力手段（例えば、制御部７０）を備えていてもよい。出力手段は、画像データを表示手段（例えば、モニタ７５）に出力する。なお、出力手段は、画像データを外部メモリに保存してもよいし、画像データを印刷してもよい。例えば、眼科撮影装置が出力手段を備える構成である場合、制御手段は、被検眼上の各走査位置において、逐次、スペクトル干渉信号を取得し、画像データ取得手段は、制御手段によって新たに取得される前記スペクトル干渉信号から、可視域における色情報を含む画像データを取得してもよい。例えば、出力手段は、新たに取得される画像データを出力することで、逐次、画像データを更新するようにしてもよい。これによって、検者は、色情報を含む画像データをリアルタイムで観察することができるようになる。被検眼をレーザ治療した場合等においては、レーザ光の照射部位における変化を把握しやすくなる。
【００３３】
なお、例えば、本実施例に係る眼科撮影装置は、照射光学系（例えば、レーザ光学系４００）を備えていてもよい。照射光学系は、治療レーザ光源（例えば、レーザ光源４０１）を有し、レーザ光を被検眼の治療部位に照射する。また、例えば、本実施例に係る眼科撮影装置は、レーザ制御手段（例えば、制御部７０）を備えていてもよい。レーザ制御手段は、照射光学系を制御する。
【００３４】
例えば、本実施例に係る眼科撮影装置は、さらに、解析手段（例えば、制御部７０）を備えていてもよい。解析手段は、画像データを解析処理することによって、レーザ光が照射された照射位置の評価情報を取得する。例えば、評価情報は、被検眼の治療部位に対して、レーザ光の照射が適切であるかを判定するために用いられる情報であってもよい。一例としては、レーザ光を照射する前に取得されたカラー画像データと、レーザ光を照射した後に取得されたカラー画像データと、における照射位置のＲＧＢ値の変化量が取得されてもよい。これによって、照射部位の状態を容易に把握することができる。
【００３５】
例えば、レーザ制御手段は、解析手段によって取得された評価情報に基づいて、レーザ光の出力を制御するようにしてもよい。この場合、レーザ光の出力は、治療レーザ光源の光量あるいは照射時間の少なくともいずれかを調整することで制御されてもよい。また、この場合、レーザ光の出力は、照射光学系が備える少なくともいずれかの部材を移動することで制御されてもよい。例えば、照射光学系の光路中に挿抜可能なフィルタを設け、これを移動させる構成としてもよい。これによって、レーザ光による被検眼の治療を容易に行うことができる。
【００３６】
なお、本開示は、本実施形態に記載する装置に限定されない。例えば、下記実施形態の機能を行う端末制御ソフトウェア（プログラム）を、ネットワークまたは各種記憶媒体等を介してシステムあるいは装置に供給し、システムあるいは装置の制御装置（例えば、ＣＰＵ等）がプログラムを読み出して実行することも可能である。
【００３７】
＜実施例＞
以下、本開示における典型的な実施例について、図面を参照して説明する。図１は眼科撮影装置の光学系及び制御系を示す図である。なお、本実施例では、被検眼Ｅの軸方向（前後方向）をＺ方向、水平方向（左右方向）をＸ方向、鉛直方向（上下方向）をＹ方向として説明する。被検眼Ｅの眼底Ｅｆにおける表面方向をＸＹ方向として考えてもよい。
【００３８】
本実施例における眼科撮影装置１は、ＯＣＴ装置、ＳＬＯ装置、及び治療用レーザ装置、が複合された眼科撮影装置である。なお、眼科撮影装置１は、ＯＣＴ装置であってもよいし、ＯＣＴ装置と治療用レーザ装置とが複合された装置であってもよい。眼科撮影装置１は、被検眼Ｅを撮影する。例えば、眼科撮影装置１は、被検眼Ｅとして、被検眼Ｅの前眼部（例えば、角膜、水晶体、等）を撮影してもよいし、被検眼Ｅの眼底Ｅｆを撮影してもよい。本実施例では、眼科撮影装置１を用いて眼底Ｅｆを撮影する場合を例に挙げる。例えば、眼科撮影装置１は、ＯＣＴ光学系１００、観察光学系２００、固視誘導部３００、レーザ光学系４００、制御部７０、等を備える。
【００３９】
＜ＯＣＴ光学系＞
ＯＣＴ光学系１００は、いわゆる眼科用光干渉断層計（Optical Coherence Tomography：OCT）の構成をもち、被検眼Ｅの眼底Ｅｆを撮影して、その画像データ（例えば、ＯＣＴ画像データ）を取得する。ＯＣＴ画像データは、断層画像データであってもよいし、断層画像データに基づいて作成される正面画像データであってもよい。例えば、正面画像データは、断層画像データを深さ方向に積算したＯＣＴ正面画像データ、断層画像データを所定の深さ範囲で積算した画像データ、等であってもよい。
【００４０】
例えば、ＯＣＴ光学系１００は、タイムドメインＯＣＴ（Time Domain OCT：TD-OCT）であってもよい。また、例えば、ＯＣＴ光学系１００は、フーリエドメインＯＣＴ（Fourier Domain OCT：FD-OCT）であってもよい。ＦＤ−ＯＣＴとしては、スペクトルドメインＯＣＴ（Spectral Domain OCT：SD-OCT）や波長掃引式ＯＣＴ（Swept Source OCT：SS-OCT）が代表的である。本実施例では、ＯＣＴ光学系１００にＳＤ−ＯＣＴを適用した場合を例に挙げる。
【００４１】
例えば、ＯＣＴ光学系１００は、光源１０２から照射された赤外域に波長帯域をもつ光を測定光と参照光に分割し、被検眼Ｅに照射された測定光と参照光によるスペクトル干渉信号を取得する。例えば、ＯＣＴ光学系１００は、光源１０２、カップラー（光分割器）１０４、走査部（例えば、光スキャナ）１０８、測定光学系１０６、検出器１２０、参照光学系１３０、等を備える。例えば、光源１０２、測定光学系１０６、検出器１２０、及び参照光学系１３０は、光ファイバでカップラー１０４に繋がれている。
【００４２】
本実施例において、ＯＣＴ光学系１００は、光源１０２から出射された光を、カップラー１０４によって測定光と参照光に分割する。測定光は、光ファイバを通過した後に空気中へ出射され、走査部１０８及び測定光学系１０６を介して、眼底Ｅｆに導かれる。参照光は、光ファイバを通過して、参照光学系１３０に導かれる。眼底Ｅｆに反射された測定光と、後述する反射光学系に反射された参照光と、は同様の経路を経て光ファイバに戻される。ＯＣＴ光学系１００は、測定光と参照光の合成による干渉光を、検出器１２０に受光させる。
【００４３】
光源１０２は、赤外域に波長帯域をもつ光を照射する。このような赤外光は、近赤外域に波長帯域をもっていてもよいし、遠赤外域に波長帯域をもっていてもよい。なお、本実施例においては、近赤外域に波長帯域をもつ光を照射可能な光源を用いることが好ましい。より詳細には、λ＝８００ｎｍ〜１１００ｎｍの波長帯域をもつ光を照射する光源を用いてもよい。例えば、光源１０２は、ＳＬＤ（Super luminescent diode）光源であってもよい。
【００４４】
例えば、本実施例では、光源１０２として、低コヒーレント光源（広帯域光源）が用いられ、検出器１２０には、干渉光を各波長成分（各周波数成分）に分光する分光光学系（スペクトルメータ）が設けられる。例えば、スペクトルメータは、回折格子とラインセンサからなる。
【００４５】
検出器１２０は、測定光と参照光との干渉光（干渉信号）を波長帯域毎に分光したスペクトル干渉信号を検出する。すなわち、検出器１２０は、周波数空間における波長帯域毎の信号強度（スペクトル干渉信号の強度）を検出する。例えば、本実施例において、このようなスペクトル干渉信号は、可視域における色情報を取得するために用いられる（詳細は後述する）。例えば、検出器１２０が検出したスペクトル干渉信号は制御部７０に出力され、制御部７０にて周波数空間における波長帯域毎の信号強度に対応する色情報が取得される。また、例えば、検出器１２０が検出したスペクトル干渉信号は制御部７０に出力され、制御部７０にてフーリエ変換される。これによって、スペクトル干渉信号は、周波数空間から実空間に変換され、被検眼Ｅの所定範囲の深さプロファイル（Ａスキャン信号）が取得される。すなわち、被検眼Ｅの深さ方向における信号強度が取得される。例えば、制御部７０は、走査部１０８にて走査された測定光の各走査位置（例えば、図３（ｂ）に示す位置Ｋ１〜位置Ｋｎ）における深さプロファイルを並べることで、被検眼Ｅの断層画像データ（Ｂスキャン画像データ）を取得する。なお、断層画像データは、信号であっても、信号を変換した画像であってもよい。
【００４６】
走査部１０８は、眼底Ｅｆ上で、測定光をＸＹ方向（横断方向）に走査させる。例えば、走査部１０８は、被検眼Ｅの瞳孔と略共役な位置に配置される。例えば、走査部１０８は２つのガルバノミラーであり、駆動機構５０によって、その反射角度が任意に調整される。これにより、光源１０２から出射された光の反射（進行）方向が変化され、眼底Ｅｆ上における撮影位置が変更される。なお、走査部１０８は、光を偏向させる構成であればよい。例えば、反射ミラー（ガルバノミラー、ポリゴンミラー、レゾナントスキャナ、等）の他、光の進行（偏向）方向を変化させる音響光学素子（ＡＯＭ）が用いられてもよい。
【００４７】
参照光学系１３０は、眼底Ｅｆで反射された測定光と合成される参照光を生成する。参照光学系１３０は、マイケルソンタイプであってもよいし、マッハツェンダタイプであってもよい。例えば、参照光学系１３０は、反射光学系（例えば、参照ミラー）によって形成され、カップラー１０４からの参照光を反射光学系により反射して再度カップラー１０４に戻し、検出器１２０へと導く。他の例として、参照光学系１３０は、透過光学系（例えば、光ファイバ）によって形成され、カップラー１０４からの参照光を、カップラー１０４に戻さず透過させることによって、検出器１２０へと導いてもよい。
【００４８】
参照光学系１３０は、参照光路中の光学部材を移動させることにより、測定光と参照光との光路長差を変更する構成を有する。例えば、参照ミラーが光軸方向に移動される。光路長差を変更するための構成は、測定光学系１０６の測定光路中に配置されてもよい。
【００４９】
＜観察光学系＞
観察光学系２００は、いわゆる眼科用走査型レーザ検眼鏡（Scanning Laser Ophthalmoscope：SLO）の構成をもち、被検眼Ｅの眼底Ｅｆを撮影して、その画像データ（例えば、ＳＬＯ正面画像データ）を取得する。観察光学系２００は、いわゆる眼底カメラタイプの構成であってもよい。また、観察光学系２００は、赤外光を用いて被検眼を撮影する赤外撮影光学系であってもよい。
【００５０】
例えば、観察光学系２００は、レーザ光源２０１、走査部２０４、穴開きミラー２０５、回転板ユニット２０６、受光素子２０９、等を備える。もちろん、観察光学系２００は、この他の光学素子を適宜備えてもよい。例えば、レーザ光源２０１は、少なくとも、第１波長（例えば、波長７９０ｎｍ付近）のレーザ光と、第２波長（例えば、波長４９０ｎｍ付近）のレーザ光と、を出射してもよい。もちろん、レーザ光源２０１は、単色光のみを出射してもよい。
【００５１】
例えば、レーザ光源２０１からのレーザ光は、中央に開口部を有する穴開きミラー２０５の開口部を通って、走査部２０４へと向かう。走査部２０４に反射されたレーザ光は、測定光学系１０６を通過した後に、眼底Ｅｆで集光する。レーザ光源２０１から眼底Ｅｆに対してレーザ光が照射されることにともなって、眼底Ｅｆから光が発せられる。例えば、レーザ光は、眼底Ｅｆで散乱・反射される。その結果、眼底Ｅｆで散乱・反射された光（以下、眼底反射光）が、瞳孔を介して出射される。また、レーザ光は、眼底Ｅｆに存在する蛍光物質を励起させる場合がある。このため、眼底Ｅｆに存在する蛍光物質から発せられた蛍光が、瞳孔を介して出射する場合がある。
【００５２】
走査部２０４は、レーザ光源２０１から導かれたレーザ光を眼底Ｅｆ上で走査し、レーザ光の進行方向を変化させる（言い換えると、レーザ光を偏向する）。本実施例において、走査部２０４は、反射ミラー２０３を有している。例えば、反射ミラー２０３は、ガルバノミラー、ポリゴンミラー、等であってもよい。なお、走査部２０４としては、レゾナントスキャナ、音響光学素子（ＡＯＭ）、等が用いられてもよい。
【００５３】
回転板ユニット２０６は、受光素子２０９に受光させる光の波長を選択する。回転板ユニット２０６は、回転板２０７、駆動部２０８、等を備える。例えば、回転板２０７は、眼底Ｅｆで発生した蛍光を観察するためのバリアフィルタを複数有している。例えば、回転板２０７が駆動部２０８によって回転されることで、受光素子２０９に向かう光路に各種のバリアフィルタがセットされる。
【００５４】
例えば、回転板２０７には、赤外蛍光撮影用のバリアフィルタ、可視蛍光撮影用のバリアフィルタ、等が設けられる。例えば、赤外蛍光撮影用のバリアフィルタは、赤外蛍光撮影の一つであるＩＣＧＡ（Indocyanine-Green-Angiography）撮影用のバリアフィルタとして用いられてもよい。ＩＣＧＡ撮影は、蛍光眼底造影剤としてインドシアニングリーンを用いる蛍光撮影である。例えば、ＩＣＧＡ撮影を行う場合は、レーザ光源２０１から第１波長のレーザ光を照射し、赤外蛍光撮影用のバリアフィルタを介して、波長８００ｎｍ〜８６０ｎｍ付近の蛍光を撮影する。なお、ＩＣＧＡ撮影は、主として脈絡膜血管の観察に用いられる。
【００５５】
例えば、可視蛍光撮影用のバリアフィルタは、ＦＡ（Fluorescein-Angiography）撮影用のバリアフィルタとして用いられてもよい。ＦＡ撮影は、蛍光眼底造影剤としてフルオレセインを用いる蛍光撮影である。例えば、ＦＡ撮影を行う場合は、第２波長のレーザ光を照射し、可視蛍光撮影用のバリアフィルタを介して、波長５１０ｎｍ〜５５０ｎｍ付近の蛍光を撮影する。なお、ＦＡ撮影は、主として網膜血管の観察に用いられる。
【００５６】
受光素子２０９は、レーザ光源２０１から照射されたレーザ光にともなう眼底Ｅｆからの光（すなわち、通常撮影時には眼底反射光、蛍光撮影時には眼底Ｅｆで発生した蛍光、等）を受光する。例えば、蛍光撮影時において、制御部７０は、受光素子２０９からの受光信号に基づいた眼底ＥｆのＳＬＯ蛍光正面画像データを取得する。
【００５７】
眼底Ｅｆにレーザ光が照射される場合、眼底Ｅｆで反射または出射された光は、測定光学系１０６、走査部２０４、をそれぞれ通過し、穴開きミラー２０５で反射された後に、回転板２０７のフィルタを介して、受光素子２０９へと導かれる。なお、被検眼Ｅの瞳位置と、穴開きミラー２０５の開口部と、は光学的に共役な関係であってもよい。
【００５８】
＜固視誘導部＞
固視誘導部３００は、被検眼Ｅの視線方向を誘導するための光学系を有する。固視誘導部３００は、被検眼Ｅに呈示する固視灯を有し、固視灯の呈示位置を二次元的に変更させる。これによって、被検眼Ｅの視線が複数の方向に誘導され、結果的に撮影部位が変更される。例えば、撮影光軸に対して固視灯が同方向に呈示されると、眼底Ｅｆの中心部が撮影部位に設定される。また、例えば、撮影光軸に対して固視灯が上方向に呈示されると、眼底Ｅｆの上部が撮影部位に設定される。すなわち、撮影光軸に対する固視灯の位置に応じて、被検眼Ｅの撮影部位が変更される。
【００５９】
例えば、固視誘導部３００としては、マトリクス状に配列された固視灯（例えば、ＬＥＤ（Light Emitting Diode）等）の点灯位置を変化させることで被検眼Ｅの固視位置を調整する構成、光スキャナを用いて光源からの光を走査し、光源の点灯を制御することで被検眼Ｅの固視位置を調整する構成、等が考えられる。また、固視誘導部３００は、内部固視灯タイプであってもよいし、外部固視灯タイプであってもよい。
【００６０】
＜レーザ光学系＞
レーザ光学系４００は、被検眼Ｅにレーザ光を照射する。例えば、レーザ光学系４００は、レーザ光源４０１、走査部４０８、等を備える。レーザ光源４０１は、治療用レーザ光（例えば、波長５３２ｎｍのレーザ光）を発振する。例えば、走査部４０８は、駆動ミラー４０９、駆動部４５０、等を備える。駆動部４５０は、駆動ミラー４０９の反射面の角度を変更する。
【００６１】
レーザ光源４０１から出射されたレーザ光は、走査部４０８及びダイクロイックミラー３０で反射され、測定光学系１０６を介して眼底Ｅｆに集光する。このとき、走査部４０８によって、眼底Ｅｆ上におけるレーザ光の照射位置が変更される。なお、レーザ光学系４００は、エイミング光を発するエイミング光源を備えてもよい。
【００６２】
＜制御部＞
制御部７０は、一般的なＣＰＵ（プロセッサ）７１、ＲＯＭ７２、ＲＡＭ７３、等で実現される。例えば、ＣＰＵ７１は、眼科撮影装置１における各部の駆動を制御する。例えば、ＲＯＭ７２には、ＣＰＵ７１が実行する各種プログラムが記憶されている。例えば、ＲＡＭ７３は、各種の情報を一時的に記憶する。なお、制御部７０は、複数の制御部（つまり、複数のプロセッサ）によって構成されてもよい。
【００６３】
例えば、制御部７０は、記憶部（例えば、不揮発性メモリ）７４、表示部（例えば、モニタ）７５、操作部７６、等と電気的に接続される。制御部７０は、モニタ７５の表示画面を制御する。例えば、制御部７０は、取得した画像データ（例えば、正面画像データ、断層画像データ、等）を、モニタ７５に静止画または動画として出力してもよい。モニタ７５は、正面画像データや断層画像データを表示する。例えば、モニタ７５は、眼科撮影装置１の本体に搭載されたモニタ（ディスプレイ）であってもよいし、眼科撮影装置１の本体に接続されたモニタであってもよい。例えば、モニタ７５には、パーソナルコンピュータのモニタを用いてもよい。また、モニタ７５は、複数のモニタを併用してもよい。なお、モニタ７５は、タッチパネルであってもよい。このような場合には、モニタ７５が操作部７６として機能する。
【００６４】
操作部７６には、検者による各種の操作指示が入力される。操作部７６は、入力された操作指示に応じた信号を制御部７０に出力する。例えば、操作部７６としては、マウス、ジョイスティック、キーボード、タッチパネル、等の少なくともいずれかのユーザーインターフェイスを用いてもよい。制御部７０は、操作部７６が受け付けた検者の操作に基づく操作信号を取得してもよい。
【００６５】
不揮発性メモリ７４（以下、メモリ７４）は、電源の供給が遮断されても記憶内容を保持できる非一過性の記憶媒体であってもよい。例えば、メモリ７４としては、ハードディスクドライブ、フラッシュＲＯＭ、着脱可能なＵＳＢメモリ、等を使用することができる。メモリ７４は、取得された画像データの他、取得された画像データの撮影に係る情報（例えば、眼底Ｅｆにおける撮影位置、等）を記憶してもよい。
【００６６】
例えば、制御部７０は、固視誘導部３００を制御して、固視灯の呈示位置を変更する。また、例えば、制御部７０は、ＯＣＴ光学系１００が備える検出器１２０から出力されるスペクトル干渉信号、観察光学系２００が備える受光素子から出力される受光信号、等を取得する。また、例えば、制御部７０は、走査部１０８を制御して、被検眼Ｅに対する測定光の照射位置を変更する。また、例えば、制御部７０は、走査部４０８を制御して、被検眼Ｅに対するレーザ光の照射位置を変更する。
【００６７】
＜制御動作＞
以下、眼科撮影装置１で被検眼Ｅの眼底Ｅｆを撮影し、可視域における色情報を含む眼底Ｅｆの画像データを取得する手順を、図２に示すフローチャートを用いて制御動作とともに説明する。なお、本実施例では、観察光学系２００を用いてＳＬＯ正面画像データが取得される。また、本実施例では、ＯＣＴ光学系１００を用いて測定光を走査した眼底Ｅｆの所定の領域について、可視域の色情報が取得される。眼底Ｅｆの所定の領域は、ＳＬＯ正面画像データ上で選択した眼底Ｅｆの一部の領域であってもよい。もちろん、ＳＬＯ正面画像データ上で選択した眼底Ｅｆの全領域であってもよい。例えば、本実施例では、ＯＣＴ光学系１００により、ＳＬＯ正面画像データ上で選択した眼底Ｅｆの一部の領域に対して、測定光が走査される。これによって、可視域における色情報を含むＳＬＯ正面画像データを取得することができる。
【００６８】
＜被検眼のアライメント（Ｓ１）＞
まず、検者は、被検眼Ｅと眼科撮影装置１とのアライメントを行う（Ｓ１）。制御部７０は、固視誘導部３００が備える固視灯を点灯させる。また、制御部７０は、図示なき視標投影系が備える光源を点灯させる。これによって、被検眼Ｅにアライメント指標像が投影される。また、被検眼Ｅの前眼部は、図示なき前眼部観察用のカメラに検出され、その前眼部観察像がモニタ７５に表示される。検者は、被検者に固視灯を注視するよう指示した後、前眼部観察像及びアライメント指標像をみながら操作部７６（例えば、図示なきジョイスティック）を操作して、被検眼Ｅの角膜頂点位置（または、略角膜頂点位置）と、測定光軸と、を一致させるアライメントを行う。なお、制御部７０がアライメント指標像を用いて角膜頂点位置と測定光軸との位置ずれを検出し、自動的にこのようなアライメントを行う構成としてもよい。
【００６９】
＜ＳＬＯ正面画像データの取得（Ｓ２）＞
続いて、検者は、観察光学系２００を用いて眼底Ｅｆを撮影することで、ＳＬＯ正面画像データを取得する（Ｓ２）。図３はモニタ７５の表示画面の一例である。図３（ａ）はモニタ７５の全体を示している。図３（ｂ）はモニタ７５に表示される指標２５を拡大した図である。例えば、モニタ７５には、観察光学系２００によって取得されるＳＬＯ正面画像データ６５、ＯＣＴ光学系１００によって取得される断層画像データ６０及びＯＣＴ正面画像データ６６、撮影条件の設定画面（例えば、後述するスキャンパターン設定欄３５）、断層画像データ６０の撮影位置及びスキャンパターンを表す指標２５、等が表示される。例えば、指標２５は、ＳＬＯ正面画像データ６５上にて電気的に重畳表示され、設定されたスキャンパターンに基づいてその表示形状が変更されてもよい。例えば、断層画像データ６０は、指標２５上の切断位置にて取得される断層画像データを示している。
【００７０】
アライメントが完了すると、制御部７０は、観察光学系２００が備える光スキャナを制御して、レーザ光源２０１から照射された第１波長のレーザ光を眼底Ｅｆ上で走査する。また、制御部７０は、受光素子２０９から送信された受光信号を眼底ＥｆのＳＬＯ正面画像データとして取得し、これをモニタ７５に表示する。なお、例えば、レーザ光源２０１から発せられたレーザ光は赤外光であるため、ＳＬＯ正面画像データ６５はモノクロで表される。もちろん、後述の処理を行うことによって、ＳＬＯ正面画像データ６５をカラーで表してもよい。また、ＳＬＯ正面画像データ６５は、リアルタイムに取得され、リアルタイムでモニタ７５に表示されてもよい。
【００７１】
＜断層画像データ及びＯＣＴ正面画像データの取得（Ｓ３）＞
続いて、検者は、ＯＣＴ光学系１００を用いて眼底Ｅｆを撮影することで、ＯＣＴ画像データを取得する（Ｓ３）。例えば、検者は、操作部７６を操作して、撮影条件を最適化する。撮影条件を最適化することによって、検者が所望する眼底Ｅｆ上の部位が、高感度・高解像度で観察できるようになる。例えば、制御部７０は、光路長調整、フォーカス調整、偏光状態の調整（ポラライザ調整）、等を実施し、撮影条件を最適化する。
【００７２】
例えば、ＳＬＯ正面画像データ６５上には、スキャンパターン設定欄３５が表示される。検者は、操作部７６を操作して、スキャンパターン設定欄３５から測定光の走査パターン（ライン、クロスライン、ラスター、サークル、ラジアル、等）を選択する。また、例えば、ＳＬＯ正面画像データ６５上には、指標２５が表示される。検者は、操作部７６を操作して指標２５の位置を移動させる（例えば、ドラッグ操作を行う）ことで、ＯＣＴ光学系１００が眼底Ｅｆ上を走査する走査位置を設定してもよい。すなわち、検者は、指標２５の位置を移動させることで、眼底Ｅｆの断層を撮影する位置を設定してもよい。なお、本実施例においては、検者がスキャンパターンとしてマップスキャンを選択し、ＯＣＴ光学系１００によって断層画像データ６０を取得する場合を例に挙げる。もちろん、断層画像データ６０の取得は、マップスキャンを行う構成に限定されない。
【００７３】
例えば、制御部７０は、ＳＬＯ正面画像データ６５上に設定された指標２５の表示位置に基づいて、指標２５の位置に対応する眼底Ｅｆの断層画像データが得られるように、走査部１０８を駆動させて測定光を走査する。なお、指標２５の表示位置（モニタ７５上における座標位置）と、走査部１０８による測定光の走査位置と、の関係は予め定まっているので、制御部７０は、設定した指標２５の表示位置に対応する走査範囲に対して測定光が走査されるように、走査部１０８における２つのガルバノミラーの駆動を制御する。
【００７４】
また、検者が図示なき撮影スイッチを選択すると、制御部７０は、設定された走査位置（例えば、走査ラインＳＬ）に基づいて、断層画像データ６０を取得する。例えば、本実施例では、制御部７０によって、眼底Ｅｆ上における走査ラインＳＬ１、走査ラインＳＬ２、…、走査ラインＳＬｎの順に走査位置が設定され、検出器１２０によって、これらの走査位置に基づいたスペクトル干渉信号がそれぞれ取得される。これにより、検出器１２０は、測定光が照射された眼底Ｅｆ上の各走査位置において、可視域における色情報（詳細は後述する）を得るためのスペクトル干渉信号を取得することができる。言い換えると、検出器１２０は、周波数空間における波長帯域毎の信号強度（スペクトル干渉信号の強度）を取得することができる。例えば、このようなスペクトル干渉信号は、制御部７０に出力される。
【００７５】
例えば、制御部７０は、測定光の走査中に検出器１２０から出力される出力信号から、所定の走査領域に対応するスペクトル干渉信号を取得する。また、例えば、制御部７０は、所定の走査領域に対応するスペクトル干渉信号をフーリエ変換し、被検眼Ｅの深さ方向における信号強度を取得することで、眼底Ｅｆの断層画像データ６０を取得する。例えば、本実施例においては、このような断層画像データ６０とともに、断層画像データ６０を深さ方向に積算したＯＣＴ正面画像データ６６が取得されてもよい。例えば、制御部７０は、断層画像データ６０及びＯＣＴ正面画像データ６６をモニタ７５に表示する。
【００７６】
なお、例えば、ＯＣＴ光学系１００からの測定光を指標２５の表示位置に対応する走査範囲に対して走査することで取得したＯＣＴ正面画像データ６６と、ＳＬＯ正面画像データ６５上にて指標２５が重畳表示された領域と、の画素数は同一（すなわち、pixel to pixel）であってもよい。例えば、この場合には、眼底Ｅｆ上の位置Ｋ１が、モニタ７５上に表示されたＯＣＴ正面画像データ６６とＳＬＯ正面画像データ６５とで同一の座標位置となる。
【００７７】
また、例えば、光源１０２から照射された測定光は赤外域に波長帯域をもつ光であるため、断層画像データ６０及びＯＣＴ正面画像データ６６はモノクロで表される。もちろん、後述の処理を行うことによって、これらの画像データをカラーで表してもよい。例えば、制御部７０は、これらの画像データとともに、撮影情報（例えば、撮影部位等）や選択範囲情報（走査パターン、走査位置、走査範囲、等）をメモリ７４に記憶する。
【００７８】
＜可視域における色情報の取得（Ｓ４）＞
ここで、制御部７０は、ステップＳ３にて取得されたスペクトル干渉信号を用いて、可視域における色情報を取得する（Ｓ４）。例えば、本実施例では、制御部７０が、取得されたスペクトル干渉信号から、周波数空間における波長帯域毎の信号強度に対する色情報を取得する。例えば、色情報は、Ｒ（Ｒｅｄ）、Ｇ（Ｇｒｅｅｎ）、及びＢ（Ｂｌｕｅ）を３原色として表示するＲＧＢ色空間を表す情報であってもよい。また、例えば、色情報は、Ｃ（Ｃｙａｎ）、Ｍ（Ｍａｇｅｎｔａ）、及びＹ（Ｙｅｌｌｏｗ）を３原色として表示するＣＭＹ色空間を表す情報であってもよい。その他、ＲＧＢにＡ（Ａｌｐｈａ  Ｃｈａｎｎｅｌ）が加わったＲＧＢＡ、ＣＭＹにＫ（Ｂｌａｃｋ）が加わったＣＭＹＫ、等の色空間を表す情報であってもよい。なお、本実施例では、色情報としてＲＧＢ色空間を表す場合を例に挙げる。
【００７９】
図４は、周波数空間における波長帯域毎の信号強度（すなわち、スペクトル干渉信号の強度）を表した図である。図４の縦軸は信号強度であり、横軸は波長である。例えば、このような信号強度は、各走査ラインＳＬにおいて深さプロファイル（すなわち、Ａスキャン信号）を取得した位置Ｋ毎に得られ、正負に振幅している。例えば、図４（ａ）は、走査ラインＳＬ１上の位置Ｋ１、位置Ｋ２、…、位置Ｋｎのうち、位置Ｋ１にて取得されたスペクトル干渉信号の強度を示している。図４（ｂ）は、図４（ａ）に示すスペクトル干渉信号の包絡線を示している。
【００８０】
例えば、制御部７０は、位置Ｋ１にて取得されたスペクトル干渉信号を所定の波長幅（例えば、波長幅１０ｎｍ、等）で区切り、各波長幅における最大ピーク値を求める。例えば、最大ピーク値は、波長幅内に存在する複数のピークを平均化した値であってもよいし、波長幅内で最も高いピークの値であってもよい。また、例えば、制御部７０は、各波長幅における最大ピーク値をプロットすることで、スペクトル干渉信号の包絡線を取得する。
【００８１】
これによって、位置Ｋ１にて取得されたスペクトル干渉信号は、図４（ａ）に示す状態から図４（ｂ）に示す状態で表される。例えば、制御部７０は、図４（ｂ）のようなスペクトル干渉信号の包絡線（すなわち、ピーク値に基づいたスペクトル干渉信号の信号強度）をメモリ７４に記憶する。また、例えば、制御部７０は、走査ラインＳＬ１における位置Ｋ２〜位置Ｋｎのスペクトル干渉信号、及び、走査ラインＳＬ２〜走査ラインＳＬｎにおける各位置のスペクトル干渉信号、を同様に処理することで、各位置のスペクトル干渉信号の包絡線を取得し、それぞれをメモリ７４に記憶する。
【００８２】
続いて、制御部７０は、位置Ｋ１のピーク値に基づいたスペクトル干渉信号の信号強度に対する色情報を取得する。本実施例では、位置Ｋ１のピーク値に基づいたスペクトル干渉信号の波長帯域（言い換えると、波長幅）毎の信号強度に対して、可視域の色情報が取得される。すなわち、周波数空間における波長帯域毎の信号強度に対応した可視域の色情報が取得される。例えば、波長帯域毎の信号強度と、可視域の色情報と、は実験やシミュレーションによって予め対応付けられていてもよい。一例として、スペクトル干渉信号の周波数空間における波長帯域毎の信号強度と、被検眼Ｅに可視光を照射することで取得されたカラー画像データがもつ色情報と、を予め関連付けることで構築されたデータベースが用いられてもよい。
【００８３】
例えば、本実施例において、ＲＧＢ色空間のＲ値は、周波数空間における波長８７０〜９００ｎｍの帯域ｆＲから取得されてもよい。また、ＲＧＢ色空間のＧ値は、周波数空間における波長８２５〜８５０ｎｍの帯域ｆＧから取得されてもよい。また、ＲＧＢ色空間のＢ値は、周波数空間における波長８００〜８２０ｎｍの帯域ｆＢから取得されてもよい。もちろん、可視域の色情報を取得する波長帯域毎の信号強度は、本実施例とは異なっていてもよい。
【００８４】
例えば、制御部７０は、ＲＧＢ色空間のＲ値、Ｇ値、及びＢ値をそれぞれ０〜２５５の２５６階調で表すために、各波長幅における信号強度の平均値を求める。例えば、制御部７０は、帯域ｆＲにおいて、所定の波長幅（例えば、波長幅１ｎｍ、等）毎のピーク値を求め、これらを積算する。例えば、制御部７０は、位置Ｋ１のピーク値に基づいたスペクトル干渉信号（図４（ｂ）参照）において、波長８７０ｎｍ、波長８７１ｎｍ、…、波長９００ｎｍ、のそれぞれの信号強度を検出し、これらの値を積算する。ここでは、各信号強度を積算した値が７６５０となった場合を例に挙げる。続いて、制御部７０は、各信号強度を積算した値を、帯域ｆＲの波長幅で除算する。例えば、制御部７０は、各信号強度を積算した値である７６５０を、帯域ｆＲの波長幅である３０ｎｍで除算する。これによって、各波長幅における信号強度の平均値が２５５と計算される。例えば、制御部７０は、ＲＧＢ色空間のＲ値として、上記のように各波長幅における信号強度の平均値を求める。
【００８５】
同様に、制御部７０は、帯域ｆＧにおいて所定の波長幅毎のピーク値を求め、これらを積算した値を帯域ｆＧの波長幅（すなわち、２５ｎｍ）で除算する。これによって、ＲＧＢ色空間のＧ値として、帯域ｆＧの波長幅における信号強度の平均値を求めることができる。また、制御部７０は、帯域ｆＢにおいて所定の波長幅毎のピーク値を求め、これらを積算した値を帯域ｆＢの波長幅（すなわち、２０ｎｍ）で除算する。これによって、ＲＧＢ色空間のＢ値として、帯域ｆＢの波長幅における信号強度の平均値を求めることができる。
【００８６】
例えば、制御部７０は、このようにして、位置Ｋ１の周波数空間における波長帯域毎の信号強度に対する色情報を取得する。また、例えば、制御部７０は、走査ラインＳＬ１における位置Ｋ２〜位置Ｋｎのピーク値に基づいたスペクトル干渉信号の信号強度に対する色情報、及び、走査ラインＳＬ２〜走査ラインＳＬｎにおける各位置のピーク値に基づいたスペクトル干渉信号の信号強度に対する色情報、をそれぞれ取得する。取得した色情報は、メモリ７４に記憶される。
【００８７】
＜色情報を含むＳＬＯ正面画像データの取得（Ｓ５）＞
例えば、制御部７０は、ステップＳ４にて取得された色情報に基づいて、可視域における色情報を含むＳＬＯ正面画像データ６５を取得する（Ｓ５）。例えば、本実施例では、制御部７０が、ステップＳ４にて取得された色情報を、ステップＳ２にて取得されたＳＬＯ正面画像データ６５に適用することで、可視域における色情報を含むＳＬＯ正面画像データ６５を取得する。なお、本実施例における適用とは、取得された色情報をＳＬＯ正面画像データ６５に付加する構成でもよいし、取得された色情報でＳＬＯ正面画像データ６５を置換する構成でもよい。
【００８８】
例えば、ステップＳ４で、ＯＣＴ光学系１００を用いて取得したスペクトル干渉信号から、位置Ｋ１のＲ値、Ｇ値、及びＢ値として、それぞれ２５５、１６５、及び０の値が得られた場合、ＲＧＢ色空間のＲ値は、２５５／２５５となる。また、ＲＧＢ色空間のＧ値は、１６５／２５５となる。また、ＲＧＢ色空間のＢ値は、０／２５５となる。この結果、ＯＣＴ正面画像データ６６上の位置Ｋ１は、オレンジ色で表現されてもよい。また、ＯＣＴ正面画像データ６６上の位置Ｋ１と同一の位置座標であるＳＬＯ正面画像データ６５上の位置Ｋ１も、オレンジ色で表現される。例えば、制御部７０は、各走査ラインＳＬ上の各位置Ｋに対して、このように色情報を適用することで、可視域における色情報を含むＳＬＯ正面画像データ６５を取得することができる。すなわち、ＳＬＯ正面画像データ６５をカラー化することができる。
【００８９】
例えば、制御部７０は、眼底Ｅｆ上の各走査位置において、逐次、スペクトル干渉信号を取得し、新たに取得されるスペクトル干渉信号を上記のように処理することで、可視域における色情報を取得してもよい。また、例えば、制御部７０は、取得した色情報に基づいて、観察光学系２００にてリアルタイムに撮影されるＳＬＯ正面画像データ６５をカラー化して表示してもよい。もちろん、例えば、制御部７０は、新たに取得されるスペクトル干渉信号から取得した可視域における色情報に基づいて、ＯＣＴ光学系１００にて撮影されるＯＣＴ画像データ（例えば、断層画像データ６０、ＯＣＴ正面画像データ６６、等）をカラー化して表示してもよい。
【００９０】
なお、本実施例における眼科撮影装置１は、レーザ光源４０１を有し、レーザ光を被検眼Ｅの治療部位に照射するレーザ光学系４００を備えている。このため、眼底Ｅｆにレーザ光を照射することで、眼底Ｅｆを治療することができる。例えば、レーザ光学系４００は、光凝固を生じさせるエネルギーの高いレーザ光を照射して眼底Ｅｆを治療するために用いられてもよい。この場合、眼底Ｅｆにおいてレーザ光が照射された部位は、熱凝固によって凝固斑が形成される。すなわち、眼底Ｅｆがレーザ光で焼けた瘢痕が形成される。
【００９１】
例えば、検者は、観察光学系２００によって取得される眼底ＥｆのＳＬＯ正面画像データ６５、ＯＣＴ光学系１００によって取得されるＯＣＴ正面画像データ６６、等を観察することで、眼底Ｅｆに形成された凝固斑の状態を確認することができる。しかし、これらの画像データは、眼底Ｅｆに赤外光を照射することで撮影されるためにモノクロで表示され、凝固斑の状態を判断しづらい場合がある。例えば、本実施例のように、ＳＬＯ正面画像データ６５やＯＣＴ正面画像データ６６がリアルタイムにカラー表示される構成であれば、眼底Ｅｆが赤みを帯びた色であるのに対し、凝固斑は白みを帯びた色となるので、形成された凝固斑の状態を容易に判断できるようにもなる。
【００９２】
なお、このような構成において、制御部７０は、可視域における色情報を含む画像データ（以下、カラー画像データ）を解析処理することにより、レーザ光が照射された照射位置の評価情報を取得してもよい。例えば、評価情報とは、眼底Ｅｆに対するレーザ光の照射が適切であるかを判定するための情報であってもよい。一例として、制御部７０は、レーザ光を照射する前に取得されたカラー画像データと、レーザ光を照射した後に取得されたカラー画像データと、において、照射位置のＲＧＢ色空間のＲＧＢ値を比較して、その変化量を算出する。例えば、制御部７０は、変化量が所定の閾値よりも小さい場合には、光凝固が不十分だと判定してもよい。また、例えば、制御部７０は、変化量が所定の閾値よりも大きい場合には、光凝固が十分だと判定してもよい。なお、このような変化量の閾値は、予め実験やシミュレーション等により設定することができる。また、このような変化量の閾値は、複数設けられてもよい。
【００９３】
例えば、制御部７０は、取得した評価情報に基づいて、レーザ光の出力を制御してもよい。例えば、レーザ光の出力は、レーザ光源４０１の光量を調整することで制御されてもよいし、レーザ光の照射時間を調整することで制御されてもよい。また、例えば、レーザ光の出力は、レーザ光学系４００における少なくともいずれかの部材を移動させることで制御されてもよい。この場合には、レーザ光学系４００の光路中に挿抜可能なフィルタを設け、これを移動させてもよい。
【００９４】
以上説明したように、例えば、本実施例における眼科撮影装置は、ＯＣＴ光学系を制御して、被検眼上で前記測定光を走査し、測定光が照射された被検眼上の各走査位置においてスペクトル干渉信号を取得する。また、例えば、本実施例における眼科撮影装置は、取得されたスペクトル干渉信号から周波数空間における波長帯域毎の信号強度に対応する色情報を取得し、各走査位置での色情報に基づいて、可視域における色情報を含む画像データを取得する。これによって、被検眼に赤外光を照射することで撮影されたモノクロの画像データを、カラーの画像データとして取得することができる。すなわち、検者は、被検眼に可視光を照射して眩しさを与えることなく、カラーの画像データを取得することができる。また、検者は、カラーの画像データであることによって、被検眼の状態を観察しやすくなる。
【００９５】
また、例えば、本実施例における眼科撮影装置は、被検眼上の各走査位置において逐次スペクトル干渉信号を取得し、新たに取得されるスペクトル干渉信号から可視域における色情報を含む画像データを取得し、新たに取得される画像データを出力することで、逐次画像データを更新する。これによって、検者は、色情報を含む画像データをリアルタイムで観察することができる。被検眼をレーザ治療した場合等においては、レーザ光の照射部位における変化を把握しやすくなる。
【００９６】
また、例えば、本実施例における眼科撮影装置は、周波数空間における波長と可視域における色情報とが対応付けされたデータベースに基づいて、スペクトル干渉信号から周波数空間における波長帯域毎の信号強度に対応する色情報を取得する。これによって、可視域における色情報を含む画像データを容易に取得することができる。
【００９７】
また、例えば、本実施例における眼科撮影装置は、スペクトル干渉信号から色情報を取得し、各走査位置での色情報に基づいて、可視域における色情報を含むＳＬＯ画像データを取得する。これによって、可視域における色情報を含むＯＣＴ画像データを取得する場合と比べて、より鮮明度の高いカラー画像データを取得することができる。
【００９８】
また、例えば、本実施例における眼科撮影装置は、画像データを解析処理することによって、レーザ光が照射された照射位置の評価情報を取得する。これによって、照射部位の状態を容易に把握することができる。
【００９９】
また、例えば、本実施例における眼科撮影装置は、評価情報に基づいて、レーザ光の出力を制御する。このため、レーザ光による被検眼の治療を容易に行うことができる。
【０１００】
＜変容例＞
なお、本実施例では、スペクトル干渉信号の各波長幅における最大ピーク値をプロットすることで包絡線を取得したがこれに限定されない。例えば、各波長幅における最小ピーク値をプロットすることで包絡線を取得してもよいし、各波長幅における最大ピーク値と最小ピーク値とを平均化した値をプロットすることで包絡線を取得してもよい。また、本実施例では、スペクトル干渉信号の絶対値を求めることで正の振幅（あるいは負の振幅）のみに統一し、その後、各波長幅における最大ピーク値（あるいは最小ピーク値）を求めることで、包絡線を取得してもよい。
【０１０１】
なお、本実施例では、波長帯域毎の信号強度と、可視域の色情報と、を対応付ける際に、各波長帯域の波長幅におけるピーク値を積算し、積算した値を波長幅で除算する構成を例に挙げて説明したがこれに限定されない。例えば、各波長帯域の波長幅におけるピーク値を積算し、積算した値に所定の係数を乗算する構成としてもよい。例えば、所定の係数は、各帯域に対して１つの係数が設定されてもよいし、帯域ｆＲ、帯域ｆＧ、及び帯域ｆＢのそれぞれに対する係数が設定されてもよい。また、例えば、所定の係数は、予め実験やシミュレーションにより求めておくことができる。なお、各波長帯域の波長幅におけるピーク値を積算しても、その値が２５５を超えないときには、積算した値をＲＧＢ値として用いることで、色情報を取得してもよい。
【０１０２】
なお、本実施例においては、可視域における色情報を含むＳＬＯ正面画像データ６５を取得する際に、ＯＣＴ光学系１００を用いて深さ方向のすべての領域に対するスペクトル干渉信号を取得し、このスペクトル干渉信号から色情報を取得して、ＳＬＯ正面画像データ６５に適用する構成を例に挙げて説明したがこれに限定されない。例えば、可視域における色情報を含むＳＬＯ正面画像データ６５を取得する際には、深さ方向の一部の領域に対するスペクトル干渉信号を取得し、このスペクトル干渉信号からら色情報を取得して、ＬＯ正面画像データ６５に適用してもよい。
【０１０３】
なお、本実施例においては、ＯＣＴ光学系１００を用いて取得したスペクトル干渉信号における周波数空間の波長帯域毎の信号強度と、可視域の色情報と、を対応付けることによって、可視域における色情報を含むＳＬＯ正面画像データ６５を取得する構成を例に挙げて説明したがこれに限定されない。前述のように、可視域における色情報を含むＯＣＴ画像データを取得する構成であってもよい。例えば、この場合には、深さ方向のすべての領域に対して色情報を含むＯＣＴ画像データが取得されてもよいし、深さ方向の一部の領域に対して色情報を含むＯＣＴ画像データが取得されてもよい。一例としては、断層画像データ６０に含まれる層（例えば、網膜層、脈絡膜層、強膜層、等）をそれぞれ検出し、層毎に色情報を含む断層画像データ６０を取得するようにしてもよい。
【０１０４】
以下、層毎に色情報を含む断層画像データ６０を取得する場合を例に挙げて説明する。図５は断層画像データ６０上を走査する深さ方向の走査線と輝度値の変化を説明する図である。なお、図５には、断層画像データ６０上の走査ラインＳＬ１及び走査ラインＳＬ１上の位置Ｋと、位置Ｋにおける深さ方向の走査線（点線で示す矢印）と、が示されている。また、図５には、断層画像データ６０のある深さ方向における走査線上の輝度値９０の変化が示されている。
【０１０５】
例えば、制御部７０は、各走査線の輝度値を求め、輝度の立ち上がり、輝度の立ち下がり、輝度のピーク、等を検出することで、所定の層４０を検出することができる。例えば、本実施例においては、輝度値９０から１つ目のピークＰ１と、２つ目のピークＰ２と、が検出される。なお、輝度のピークは、予め実験やシミュレーションにより設定された閾値を超えるか否かを判定することによって検出されてもよい。
【０１０６】
続いて、制御部７０は、ＯＣＴ光学系１００により取得されたスペクトル干渉信号から、深さ方向における所定の領域のスペクトル干渉信号を分離する。例えば、本実施例では、１つ目のピークＰ１から２つ目のピークＰ２までに寄与した深さ方向のスペクトル干渉信号が逆フーリエ変換される。図６は検出したピークに基づくスペクトル干渉信号を逆フーリエ変換した場合を説明する図である。図６（ａ）は、ピークに基づくスペクトル干渉信号を逆フーリエ変換した場合の周波数空間における波長帯域毎の信号強度を表している。図６（ｂ）は、図６（ａ）に示すスペクトル干渉信号の包絡線を示している。なお、図６の縦軸は信号強度であり、横軸は波長である。
【０１０７】
例えば、制御部７０は、断層画像データ６０の輝度値９０を用いて、検出した所定の層４０に対応した所定の領域のスペクトル干渉信号を分離する。また、例えば、制御部７０は、ステップＳ４と同様にして、所定の層４０に対応するスペクトル干渉信号を所定の波長幅（例えば、波長幅１０ｎｍ、等）で区切り、各波長幅における最大ピーク値を求めることで、所定の層４０におけるスペクトル干渉信号の包絡線（図６（ｂ）参照）を取得する。また、例えば、制御部７０は、取得した所定の層４０におけるスペクトル干渉信号の波長帯域（すなわち、波長幅）毎の信号強度に対して、可視域の色情報を対応付ける。例えば、これによって、断層画像データ６０の所定の層４０をカラー化することができる。もちろん、３つ目以降のピークを検出し、複数の層に対して同様の処理を行うことで、断層画像データ６０の複数の層をカラー化してもよい。
【０１０８】
なお、このような断層画像データ６０を所定の深さ範囲（例えば、所定の層４０の範囲）で積算し、可視域の色情報を層毎に含んだＯＣＴ正面画像データ６６を取得してもよい。すなわち、網膜層のＯＣＴ正面画像データ、脈絡膜層のＯＣＴ正面画像データ、強膜層のＯＣＴ正面画像データ、等をそれぞれカラー化することができる。これによって、例えば、眼底Ｅｆにレーザ光学系４００を用いてレーザ光を照射した際には、各層での凝固斑の形成をより確認しやすくなる。
【０１０９】
例えば、このように、本実施例における眼科撮影装置は、スペクトル干渉信号から深さ方向における所定の領域のスペクトル干渉信号を分離し、所定の領域のスペクトル干渉信号から周波数空間における波長帯域毎の信号強度に対応する色情報を取得し、可視域における色情報を含む所定の領域の画像データを取得する。これによって、所定の領域毎に、可視域における色情報を含む画像データを取得することができる。すなわち、所定の領域毎に、カラー化された画像データを取得することができる。
【０１１０】
また、例えば、このように、本実施例における眼科撮影装置は、スペクトル干渉信号から色情報を取得し、各走査位置での色情報に基づいて、可視域における色情報を含むＯＣＴ画像データを取得する。これによって、カラー化された深さ方向の断層画像データ等を取得することができる。また、カラー画像データを得るための構成を別途設ける必要がなく、簡易的な構成とすることができる。
【０１１１】
なお、本実施例では、ＯＣＴ光学系１００にて取得したスペクトル干渉信号の波長帯域毎の信号強度と、可視域の色情報と、を予め構築されたデータベースを用いて対応付けることにで、可視域における色情報を含む画像データ（例えば、ＳＬＯ正面画像データ６５、断層画像データ６０、ＯＣＴ正面画像データ６６、等）を取得する構成を例に挙げて説明したがこれに限定されない。例えば、このようなデータベースは、眼底Ｅｆを測定して、色情報を含む画像データを取得する毎に、随時更新されてもよい。なお、データベースを更新する際に用いる画像データは、上述の処理を行って取得した色情報を含む画像データ（すなわち、カラー化したＳＬＯ正面画像データ６５、カラー化した断層画像データ６０、カラー化したＯＣＴ正面画像データ、等）の他、観察光学系２００から第２波長のレーザ光を照射することで取得したＳＬＯ正面画像データ、眼底カメラで撮影した画像データ、等であってもよい。
【０１１２】
以下、一例として、観察光学系２００から第２波長のレーザ光を照射することで取得されるＳＬＯ正面画像データ（カラーＳＬＯ正面画像データ）を用いて、データベースを更新する場合について説明する。例えば、制御部７０は、観察光学系２００により取得された眼底ＥｆのカラーＳＬＯ正面画像データをモニタ７５に表示する。また、例えば、制御部７０は、ＯＣＴ光学系１００が備える走査部１０８を走査して、カラーＳＬＯ正面画像データの各座標位置に対応する眼底Ｅｆ上の点に、測定光の走査位置を設定する。これによって、各座標位置に対応する眼底Ｅｆ上のスペクトル干渉信号の信号強度が取得され、ＯＣＴ正面画像データ６６がモニタ７５に表示される。例えば、このようなカラーＳＬＯ正面画像データと、ＯＣＴ正面画像データ６６と、の画素数は同一（すなわち、pixel to pixel）であってもよい。例えば、制御部７０は、カラーＳＬＯ正面画像データの各画素位置においてＲＧＢ色空間で表される色情報と、ＯＣＴ正面画像データ６６の各画素位置のスペクトル干渉信号の信号強度と、をそれぞれ関連付ける。
【０１１３】
例えば、制御部７０は、ある色情報（例えば、オレンジ色、等）について、データベース内に蓄積されているスペクトル干渉信号の信号強度を、前述したカラーＳＬＯ正面画像データの色情報に対応付けたスペクトル干渉信号の信号強度に置き換える。この場合、制御部７０は、データベース内に蓄積されているスペクトル干渉信号の信号強度と、カラーＳＬＯ正面画像データの色情報に対応付けたスペクトル干渉信号の信号強度と、を比較して、より適したスペクトル干渉信号の信号強度を選択するようにしてもよい。もちろん、制御部７０は、ある色情報について、データベース内に蓄積されているスペクトル干渉信号の信号強度と、カラーＳＬＯ正面画像データの色情報に対応付けたスペクトル干渉信号の信号強度と、を平均化してもよい。
【０１１４】
例えば、このように、本実施例における眼科撮影装置は、被検眼に可視光を照射してカラー画像データを取得し、取得されたカラー画像データの色情報と、データベースにおける色情報と、を比較することによって、データベースを更新する。これによって、画像データをカラー化した際の精度を向上させることができる。
【０１１５】
なお、本実施例においては、予め構築されたデータベース、あるいは随時更新されるデータベースが、眼科撮影装置１内に格納された構成であってもよい。クラウドやサーバーから呼び出す構成であってもよい。もちろん、眼底Ｅｆを測定した際の画像データが眼科撮影装置１内、あるいは、クラウドやサーバーに蓄積されていき、データベースを始めから構築するような構成としてもよい。
【０１１６】
なお、本実施例における眼科撮影装置１は、ＯＣＴ光学系１００と、観察光学系２００と、を備える構成を例に挙げて説明したがこれに限定されない。例えば、眼科撮影装置１は観察光学系２００を備える構成であってもよい。例えば、ＯＣＴ光学系１００を備える別の装置を用いて、スペクトル干渉信号を取得し、これを眼科撮影装置１に受信させてもよい。この場合には、観察光学系２００を用いて撮影されるＳＬＯ正面画像データ６５と、ＯＣＴ光学系１００を用いて撮影される断層画像データ６０と、の位置関係を一致させ、上記と同様に波長帯域毎の信号強度と可視域の色情報とを対応付けることによって、色情報を含むＳＬＯ正面画像データ６５を取得することができる。
【０１１７】
なお、本実施例では、眼科撮影装置１を用いて被検眼Ｅの眼底Ｅｆを撮影し、眼底Ｅｆの色情報を含む画像データを取得する構成を例に挙げて説明したがこれに限定されない。例えば、被検物は被検眼以外の生体（例えば、皮膚、血管、等）であってもよく、これらの色情報を含む画像データを取得する装置においても、本実施例を適用することができる。
【符号の説明】
【０１１８】
１  眼科撮影装置
７０  制御部
７４  メモリ
６０  断層画像データ
６５  ＳＬＯ正面画像データ
６６  ＯＣＴ正面画像データ
７５  モニタ
１００  ＯＣＴ光学系
１０８  走査部
１２０  検出器
２００  観察光学系
３００  固視誘導部
４００  レーザ光学系
【図１】
2019134896.tif 000003
【図２】
2019134896.tif 000004
【図３】
2019134896.tif 000005
【図４】
2019134896.tif 000006
【図５】
2019134896.tif 000007
【図６】
2019134896.tif 000008